(57)【要約】【課題】印刷製品を裁断テーブル上の裁断位置に装填し被駆動式の裁断刃による裁断に際して送り動作可能な押圧ピストンによって固定する、例えば中本、書籍、パンフレット、または雑誌等の綴じられた印刷製品（２）の少なくとも一辺の側縁部（３）を裁断するための方法ならびに装置において、圧接工程に際して押圧ピストンに向いた印刷製品の面上の皺形成を防止する。【解決手段】印刷製品（２）を裁断位置に装填して被駆動式の裁断刃（６）による裁断に際して送り動作可能な押圧ピストン（５）によって固定し、その際前記押圧ピストン（５）がその表面（９）の印刷製品（２）への当接に際して少なくとも印刷製品（２）の最上の紙葉に作用する伸張圧力を付加する。【選択図】図４
2010030037.tif 000002
【特許請求の範囲】
【請求項１】
印刷製品（２）を裁断テーブル（４）上の裁断位置に装填し被駆動式の裁断刃（６）による裁断に際して送り動作可能な押圧ピストン（５）によって固定する、例えば中本、書籍、パンフレット、または雑誌等の綴じられた印刷製品（２）の少なくとも一辺の側縁部（３）を裁断するための方法であり、押圧ピストン（５）がその表面（９）の印刷製品（２）への当接に際して少なくとも印刷製品（２）の最上の紙葉に作用する伸張圧力を付加することを特徴とする方法。
【請求項２】
裁断物がその上の裁断位置に装填される裁断テーブル（４）と、前記裁断物を少なくとも裁断工程中に前記裁断テーブル（４）に対して押圧する昇降可能な押圧ピストン（５）と、初期位置から前記裁断テーブル（４）に向かって進退するよう駆動される裁断刃（６）と、対向刃あるいは前記裁断刃（６）の裁断路程を制限するカッタバー（８）を備えてなる、例えば中本、書籍、パンフレット、または雑誌等の綴じられた印刷製品（２）等の裁断物の少なくとも一辺の側縁部（３）を裁断するための装置であり、前記裁断物の方向を向いていて少なくとも側縁部（３）の近傍領域において押圧方向（Ｐ）に対して略直角に伸張する弾力性の表面（９）を前記押圧ピストン（５）が備えることを特徴とする装置。
【請求項３】
押圧ピストン（５）の表面（９）が１つの層（１０）と結合されることを特徴とする請求項２記載の装置。
【請求項４】
押圧ピストン（５）の表面（９）が少なくとも部分的に破断して形成されることを特徴とする請求項２または３記載の装置。
【請求項５】
押圧ピストン（５）の表面（９）が押圧方向（Ｐ）に対して鋭角（α）をもって突立している支持要素（１１）上に配置されることを特徴とする請求項２ないし４のいずれかに記載の装置。
【請求項６】
裁断物の方向を向いている支持要素（１１）の端部（１２）が押圧ピストン（５）の表面（９）の伸張方向（１３，１４）のうちの少なくとも一方に向かって変位可能に形成されることを特徴とする請求項５記載の装置。
【請求項７】
支持要素（１１）がレール形状に形成されることを特徴とする請求項２ないし６のいずれかに記載の装置。
【請求項８】
支持要素（１１）が裁断物の角部（１５）の方向に作用するように、あるいは裁断物の側縁部（３）に対して対角線状に配置されることを特徴とする請求項７記載の装置。
【請求項９】
レール形状の支持要素（１１）が湾曲して形成されることを特徴とする請求項８記載の装置。
【請求項１０】
押圧ピストン（５）の表面（９）が少なくとも部分的に弾力性に変形可能な板部材（１６）から形成されることを特徴とする請求項５ないし９のいずれかに記載の装置。
【請求項１１】
印刷製品（２）用の三方裁断機における請求項１ないし１０のいずれかに記載の装置の適用。
【発明の詳細な説明】
【技術分野】
【０００１】
この発明は、印刷製品を裁断テーブル上の裁断位置に装填し被駆動式の裁断刃による裁断に際して送り動作可能な押圧ピストンによって固定する、例えば中本、書籍、パンフレット、または雑誌等の綴じられた印刷製品の少なくとも一辺の側縁部を裁断するための方法ならびに装置に関する。
【背景技術】
【０００２】
前述した種類の装置は三方裁断機あるいはトリマとして知られており、書籍、雑誌、中本等の綴じられた印刷製品あるいはその他の平型の製品の側縁部の三方裁断に使用される。可能な限り精密な裁断を達成するために、印刷物をまずその背部および側縁部に従って整列させその状態で平坦面を裁断テーブルとそのテーブルに向かって動作する押圧ピストンの間で圧接する。付加される押圧力は、少なくとも裁断工程中に印刷製品が裁断圧力によってそれ自体および押圧ピストンに対して相対的に移動し得ない程度に高い必要がある。加えて印刷製品の平坦面上への押圧力の配分は、印刷物に対する圧力の比重が裁断される側縁部の領域においてその他の領域よりも高くなるように選択される。このことは、押圧ピストンの厚みをその縁部領域においてその部分よりも大きく選定することによって達成することができる。実用上においては、ある種の印刷製品の表面が圧接されていない状態において極めて不均一であり得ることが知られている。この不均一性は、印刷製品内に綴じ込まれた印刷紙葉および綴じ付けされた印刷製品の縁部に対して垂直な搬送方向とそれに起因する起伏、裁断される側縁部上の折り目、頁間の気泡、またはその他の原因によって発生し得る。それによって裁断テーブル上に載置された印刷製品の上面が凹状の形状を有する可能性がある。上下に積み重ねられた複数の冊子を同時に裁断することによって最上部の冊子の表面上に前記の誤差が累積される。この場合圧接工程の開始に際して縁部領域における印刷製品と押圧ピストンとの間の最初の接触が行われ、それによって印刷製品が押圧ピストンと裁断テーブルの間にその状態で固定され、押圧ピストンの方向を向いた印刷製品の領域が押圧力の発生によって押圧ピストンの表面に対して摺動することが不可能になる。従って、前記接触位置の間に存在する表紙の領域はそれに対応する押圧ピストンの直線状に延在した部分よりもいくらか長くなる。その結果、圧接工程の進行に際して逆側の面から内側に延在する起伏に当接するまで外側から内側に延在する表紙内の起伏が形成される。それによって表紙が押し潰されるか皺が形成され、その後押圧ピストンによって圧接される。結果として表紙の上面および内側に残留した皺が形成され、それによって品質が低下するかあるいは不良品となる危険性がある。
【発明の開示】
【発明が解決しようとする課題】
【０００３】
従って本発明の目的は、圧接工程に際して押圧ピストンに向いた印刷製品の面上の皺形成を防止する、冒頭に述べた種類の方法および装置を提供することである。
【課題を解決するための手段】
【０００４】
前記の課題は本発明に従って、押圧ピストンがその表面の印刷製品への当接に際して少なくとも印刷製品の最上の紙葉に作用する伸張圧力を付加することによって解決される。
【図面の簡単な説明】
【０００５】
【図１】裁断装置を概略的に示した立体構成図である。
【図２】圧接されていない裁断物を含んだ本発明に係る装置を搬送方向に見た説明図である。
【図３】圧接された裁断物を含んだ図２の装置を示した説明図である。
【図４】第１の実施例に係る押圧ピストンを下から見て概略的に示した立体構成図である。
【図５】第２の実施例に係る押圧ピストンを下から見て概略的に示した立体構成図である。
【図６】第３の実施例に係る押圧ピストンを下から見て概略的に示した立体構成図である。
【図７】第４の実施例に係る押圧ピストンを下から見て概略的に示した立体構成図である。
【発明を実施するための最良の形態】
【０００６】
次に、本発明に係る装置の実施例について添付図面を参照しながら説明する。図中には説明中に記載されない個別要素も含まれている。
【０００７】
図１に示されている裁断装置１は綴じられた印刷製品２、もしくは中本、書籍、パンフレットあるいは雑誌等の裁断物の少なくとも１つの側縁部３を裁断するためのものである。予め背部領域で綴じ付けられた印刷製品２が個別あるいは積重ね体として搬送方向Ｆに向かって裁断装置１に供給され、それによって３つの自由な側縁部３が裁断される。そのため裁断装置１は裁断物を裁断位置に装填することができる裁断テーブル４と、裁断物を少なくとも裁断工程中に前記裁断テーブル４に対して押圧する昇降可能な押圧ピストン５と、初期位置から裁断テーブル４に向かって進退するよう駆動される裁断刃６と、対向刃あるいは前記裁断刃６の裁断路程を制限するカッタバー８を備えている。押圧ピストン５はその上側にガイド棒７と結合された支持部１７を備え、ガイド棒７はカム駆動機構、電気サーボ駆動機構、気圧あるいは液圧駆動機構と押圧方向Ｐをもって駆動結合されている。加えて押圧ピストンは、裁断物の方向を向いていて少なくとも側縁部３の近傍領域において押圧方向Ｐに対して略直角に伸張する弾力性の表面９を備え、それが支持部１７と結合された層１０と結合されている。押圧方向Ｐに対して直角な伸張は押圧方向Ｐに対して直角な方向への応力形成の結果として伸張する層１０の形状によって達成される。それによって押圧ピストン５の方向を向いている裁断物の表面上の延伸作用が達成され、その結果裁断物の表面上の皺形成が防止される。押圧ピストン５の表面９は少なくとも部分的に破断して形成することが好適である。図４に示されている別の好適な実施形態によれば、押圧ピストン５の表面９は押圧方向Ｐに対して鋭角αをもって突立している支持要素１１上に配置されている。裁断物の方向を向いている支持要素１１の端部１２が押圧ピストン５の表面９の伸張方向１３，１４のうちの少なくとも一方に向かって変位可能に形成される。本発明に係る装置は一義的には裁断物の綴じ付けられた背部と反対側の側縁部３に沿っての伸張方向１４への延伸のために設けられるものであるが、裁断物の綴じ付けられた背部に対して直角な伸張方向１３への延伸のためにも同様に使用することができる。図５および図６によれば、支持要素１１は押圧方向Ｐへの荷重によって裁断物の角部１５の方向もしくは裁断物の側縁部３に対して対角線状に作用するように形成される。図４ないし図７によれば、支持要素１１は直線状に形成されている。本発明に対して支持要素１１が押圧ピストン５の縁部から縁部へ延在するレール部によって形成されるか、あるいは前後して配置された短いレール部によって形成されるかは重要でない。図６に示された実施形態によれば、レール形状の支持要素１１が湾曲して形成されている。この方式によって層１０の弾性率に影響が与えられ、場合によって裁断物の特性に適合可能になる。図４ないし図７において各支持要素１１の間の空間は自由空間として示されている。例えば層１０の弾性率を裁断物の特性に適合させるために、前記の空間に弾力性材料を充填するかあるいは支持要素１１を弾力性材料内に埋入することも可能である。図７に示された実施形態によれば、押圧ピストン５の表面９が少なくとも部分的に弾力性に変形可能な板部材１６から形成され���いる。本発明は３つの側縁部３の裁断を全て同じ位置で実施する裁断装置１に限定されるものではなく、１つあるいは２つの側縁部３のみの裁断を同じ位置で実施する裁断装置（１）にも同様に適応する。同様に本発明は、裁断刃６がカッタバー８あるいは対向刃に対して作用する裁断装置（１）にも適応する。本発明は、略全面的な押圧ピストン５ならびに細いレール形状に形成された押圧ピストン５のいずれにも適応する。
【符号の説明】
【０００８】
１  裁断装置
２  印刷製品
３  側縁部
４  裁断テーブル
５  押圧ピストン
６  裁断刃
７  ガイド棒
８  カッタバー
９  表面
１０  層
１１  支持要素
１２  端部
１５  角部
１６  板部材
【図１】
2010030037.tif 000003
【図２】
2010030037.tif 000004
【図３】
2010030037.tif 000005
【図４】
2010030037.tif 000006
【図５】
2010030037.tif 000007
【図６】
2010030037.tif 000008
【図７】
2010030037.tif 000009